【手続補正書】
【提出日】平成24年7月25日(2012.7.25)
【手続補正１】
【補正対象書類名】明細書
【補正対象項目名】０００８
【補正方法】変更
【補正の内容】
【０００８】
すなわち本発明は、
１．（Ａ）ペンタメチレンジアミン、（Ｂ）テレフタル酸および／またはその誘導体、（Ｃ）ラクタム、アミノカルボン酸、および一分子当たりに７以上の炭素を有する脂肪族ジカルボン酸から選ばれる少なくとも１種を重縮合して得られるポリアミド樹脂であって、（Ａ）（Ｂ）（Ｃ）の合計がポリアミド樹脂の原料となるすべての単量体成分に対して７５重量％以上であり、０．０１ｇ／ｍｌとした９８％硫酸溶液の２５℃における相対粘度が１．５〜４．０であるポリアミド樹脂。
２．前記（Ｃ）成分がポリアミド樹脂の原料となるすべての単量体成分に対して１０重量％以上、５０重量％未満であることを特徴とする１に記載のポリアミド樹脂。
３．融点（Ｔｍ１）＋２０℃で３０分間滞留させた時の硫酸溶液粘度をＹ、滞留前の硫酸相対粘度をＸとしたとき、Ｙ／Ｘが０．８以上１．５以下であることを特徴とする１または２に記載のポリアミド樹脂。
４．融点（Ｔｍ２）が３１０℃以下、ガラス転移温度が１００℃以上であることを特徴とする１〜３のいずれかに記載のポリアミド樹脂。
５．前記（Ｃ）成分におけるラクタム、アミノカルボン酸が、一分子当たりに６以上の炭素を有することを特徴とする１〜４のいずれかに記載のポリアミド樹脂。
６．前記（Ｃ）成分におけるラクタム、アミノカルボン酸が、カプロラクタム、ウンデカラクタム、ドデカラクタム、６−アミノカプロン酸、１１−アミノウンデカン酸、１２−アミノドデカン酸から選ばれる少なくとも１種であることを特徴とする５に記載のポリアミド樹脂。
７．前記（Ｃ）成分における脂肪族ジカルボン酸が、スベリン酸、アゼライン酸、セバシン酸、ウンデカン二酸、ドデカン二酸から選ばれる少なくとも１種であることを特徴とする１〜４のいずれかに記載のポリアミド樹脂。
８．３５℃、相対湿度９５％の条件下で１３５時間吸水処理した後の吸水率が３．５０％以下であることを特徴とする１〜７のいずれかに記載のポリアミド樹脂。
９．前記（Ｃ）成分におけるラクタム、アミノカルボン酸が、一分子当たりに１０以上の炭素を有することを特徴とする１〜８のいずれかに記載のポリアミド樹脂。
１０．前記（Ｃ）成分におけるラクタム、アミノカルボン酸が、ウンデカラクタム、ドデカラクタム、１１−アミノウンデカン酸、１２−アミノドデカン酸から選ばれる少なくとも１種であることを特徴とする９に記載のポリアミド樹脂。
１１．前記（Ｃ）成分における脂肪族ジカルボン酸が、一分子当たりに１０以上の炭素を有することを特徴とする１〜８のいずれかに記載のポリアミド樹脂。
１２．前記（Ｃ）成分における脂肪族ジカルボン酸が、セバシン酸、ウンデカン二酸、ドデカン二酸から選ばれる少なくとも１種であることを特徴とする１１に記載のポリアミド樹脂。
１３．１〜１２のいずれかに記載のポリアミド樹脂１００重量部に対して、無機充填材０．１〜２００重量部を配合してなるポリアミド樹脂組成物。
１４．有機官能基が導入された無機充填材を配合してなる１３に記載のポリアミド樹脂組成物。
１５．１〜１２のいずれかに記載のポリアミド樹脂１００重量部に対して耐衝撃性改良剤５〜１００重量部を配合してなるポリアミド樹脂組成物。
１６．１〜１２のいずれかに記載のポリアミド樹脂１００重量部に対して、無機充填材０．１〜１００重量部および耐衝撃性改良剤５〜１００重量部を配合してなるポリアミド樹脂組成物。
１７．１〜１２のいずれかに記載のポリアミド樹脂または１３〜１６のいずれかに記載のポリアミド樹脂組成物からなる成形品。
を提供するものである。
【手続補正２】
【補正対象書類名】特許請求の範囲
【補正対象項目名】全文
【補正方法】変更
【補正の内容】
【特許請求の範囲】
【請求項１】
（Ａ）ペンタメチレンジアミン、（Ｂ）テレフタル酸および／またはその誘導体、（Ｃ）ラクタム、アミノカルボン酸、および一分子当たりに７以上の炭素を有する脂肪族ジカルボン酸から選ばれる少なくとも１種を重縮合して得られるポリアミド樹脂であって、（Ａ）（Ｂ）（Ｃ）の合計がポリアミド樹脂の原料となるすべての単量体成分に対して７５重量％以上であり、０．０１ｇ／ｍｌとした９８％硫酸溶液の２５℃における相対粘度が１．５〜４．０であるポリアミド樹脂。
【請求項２】
前記（Ｃ）成分がポリアミド樹脂の原料となるすべての単量体成分に対して１０重量％以上、５０重量％未満であることを特徴とする請求項１に記載のポリアミド樹脂。  
【請求項３】
融点（Ｔｍ１）＋２０℃で３０分間滞留させた時の硫酸溶液粘度をＹ、滞留前の硫酸相対粘度をＸとしたとき、Ｙ／Ｘが０．８以上１．５以下であることを特徴とする請求項１または２に記載のポリアミド樹脂。
【請求項４】
融点（Ｔｍ２）が３１０℃以下、ガラス転移温度が１００℃以上であることを特徴とする請求項１〜３のいずれかに記載のポリアミド樹脂。
【請求項５】
前記（Ｃ）成分におけるラクタム、アミノカルボン酸が、一分子当たりに６以上の炭素を有することを特徴とする請求項１〜４のいずれかに記載のポリアミド樹脂。
【請求項６】
前記（Ｃ）成分におけるラクタム、アミノカルボン酸が、カプロラクタム、ウンデカラクタム、ドデカラクタム、６−アミノカプロン酸、１１−アミノウンデカン酸、１２−アミノドデカン酸から選ばれる少なくとも１種であることを特徴とする請求項５に記載のポリアミド樹脂。
【請求項７】
前記（Ｃ）成分における脂肪族ジカルボン酸が、スベリン酸、アゼライン酸、セバシン酸、ウンデカン二酸、ドデカン二酸から選ばれる少なくとも１種であることを特徴とする請求項１〜４のいずれかに記載のポリアミド樹脂。
【請求項８】
３５℃、相対湿度９５％の条件下で１３５時間吸水処理した後の吸水率が３．５０％以下であることを特徴とする請求項１〜７のいずれかに記載のポリアミド樹脂。
【請求項９】
前記（Ｃ）成分におけるラクタム、アミノカルボン酸が、一分子当たりに１０以上の炭素を有することを特徴とする請求項１〜８のいずれかに記載のポリアミド樹脂。
【請求項１０】
前記（Ｃ）成分におけるラクタム、アミノカルボン酸が、ウンデカラクタム、ドデカラクタム、１１−アミノウンデカン酸、１２−アミノドデカン酸から選ばれる少なくとも１種であることを特徴とする請求項９に記載のポリアミド樹脂。
【請求項１１】
前記（Ｃ）成分における脂肪族ジカルボン酸が、一分子当たりに１０以上の炭素を有することを特徴とする請求項１〜８のいずれかに記載のポリアミド樹脂。
【請求項１２】
前記（Ｃ）成分における脂肪族ジカルボン酸が、セバシン酸、ウンデカン二酸、ドデカン二酸から選ばれる少なくとも１種であることを特徴とする請求項１１に記載のポリアミド樹脂。
【請求項１３】
請求項１〜１２のいずれかに記載のポリアミド樹脂１００重量部に対して、無機充填材０．１〜２００重量部を配合してなるポリアミド樹脂組成物。
【請求項１４】
有機官能基が導入された無機充填材を配合してなる請求項１３に記載のポリアミド樹脂組成物。
【請求項１５】
請求項１〜１２のいずれかに記載のポリアミド樹脂１００重量部に対して耐衝撃性改良剤５〜１００重量部を配合してなるポリアミド樹脂組成物。
【請求項１６】
請求項１〜１２のいずれかに記載のポリアミド樹脂１００重量部に対して、無機充填材０．１〜１００重量部および耐衝撃性改良剤５〜１００重量部を配合してなるポリアミド樹脂組成物。
【請求項１７】
請求項１〜１２のいずれかに記載のポリアミド樹脂または請求項１３〜１６のいずれかに記載のポリアミド樹脂組成物からなる成形品。